(57)【要約】本発明は、乳児用おむつ、成人用失禁用品、および特に生理ナプキンやパンティライナーのような、通気性吸収用品に関する。本発明によると、この吸収用品は、通気性をもたらす穿孔されたバックシートを備える。そしてバックシートの少なくとも１個の通気性層が、弾性を有する立体ウエブを備え、このウエブは、孔を有する液体不透過性高分子フィルムである。この孔の形成する毛管が、ウエブが圧縮圧を受けているときに、バックシートにおいて、吸収用品から液体が通り抜けることに対するバリヤーを向上させ、同時に水蒸気透過性も維持するように、設計されている。【特許請求の範囲】
【請求項１】
それぞれの層もしくはそれぞれの層システムが、吸収用品を使用中に衣服の方へ面しているように方向づけられた（２１）衣服がわ表面と、吸収用品を使用中に装着者の方へ面しているように方向づけられた（２０）装着者がわ表面とを有する、層構造の使い捨て通気性吸収用品であって：
吸収コア（４０、４２、４４）と；
前記吸収コア（４０、４２、４４）の前記衣服がわ表面に配置された通気性バックシート（５０、５２）とを備え、この通気性バックシート（５０、５２）が、少なくとも第１バックシート層（５０）を備え、
前記第１バックシート層（５０）が水蒸気透過性で、
前記第１バックシート層（５０）が弾性を有する立体ウエブを備え、このウエブが孔（５３）を有する液体不透過性高分子フィルム（５５）から成り、前記孔（５３）が毛管（５４）を形成し、この毛管（５４）が、前記フィルム（５５）の装着者がわ表面から遠ざかる方向に延びる側壁（５６）を有し、前記毛管（５４）が、前記フィルム（５５）の前記衣服がわ表面に第１開口部（５７）と、前記フィルム（５５）の前記装着者がわ表面から遠いほうの前記毛管（５４）端部に第２開口部（５８）とを有し、前記ウエブが前記第２開口部（５８）から前記第１開口部（５７）に向かう方向における、液体水移動抵抗（ｗａｔｅｒ ｔｒａｎｓｐｏｒｔ ｒｅｓｉｓｔａｎｃｅ；ＷＴＲ）のための修正ＤＩＮ５３８８６試験で測定された液体水移動抵抗を有し、そして前記ウエブが前記第２開口部（５８）から前記第１開口部（５７）に向かう方向における、前記毛管（５４）の水蒸気透過性（ｗａｔｅｒ ｖａｐｏｕｒ ｐｅｒｍａｂｉｌｉｔｙ；ＷＶＰ）のための修正ＡＳＴＭＥ９６−８０試験で測定された水蒸気透過性を有する
使い捨て通気性吸収用品において：
ＷＴＲとＷＶＰとを、雰囲気圧の値と雰囲気圧に６８６５Ｐａの圧縮があったときの値とを、比較したときに、前記ウエブの前記ＷＴＲが５０％以上増加し、前記ＷＶＰの減少が８０％より少ないことを特徴とする、使い捨て通気性吸収用品。
【請求項２】
前記毛管（５４）が、前記フィルム（５５）の装着者がわ表面から遠ざかる方向に、前記フィルムの平面から測定して９０°より小さい角度（５９）を成して延びることを特徴とする、請求項１記載の使い捨て通気性吸収用品。
【請求項３】
前記毛管（５４）がすべて実質的に同一で、好ましくは、前記毛管（５４）が前記フィルム（５５）にわたって均一に分布して、そのときの毛管どうしのスペースは、ＷＶＰの減少が、雰囲気圧の値と雰囲気圧に６８６５Ｐａの圧縮があったときの値とを比較したときに、確実に、８０％より少なく、好ましくは５０％より少なくするものであることを特徴とする、請求項１または２記載の使い捨て通気性吸収用品。
【請求項４】
前記ウエブの前記ＷＴＲの増加が、雰囲気圧の値と雰囲気圧に６８６５Ｐａの圧縮があったときの値とを、比較したときに、６５％以上、好ましくは７５％以上であることを特徴とする、請求項１から３のいずれかに記載の使い捨て通気性吸収用品。
【請求項５】
それぞれの前記毛管（５４）の前記第１開口部（５７）が中心点（１５７）を有し、それぞれの前記毛管（５４）の前記第２開口部（５８）も中心点（１５８）を有し、これら中心点どうし（１５７、１５８）を結んだ線が、それぞれの前記毛管（５４）の中心軸（６０）を成し、この中心軸（６０）が前記フィルム（５５）の平面と角度（５９）を成し、この角度（５９）が５５°から３０°であることを特徴とする、請求項１から４のいずれかに記載の使い捨て通気性吸収用品。
【請求項６】
前記毛管（５４）の少なくともいくつかが円すいを形成し、この円すいの有する液体移動面積が、前記中心軸（６０）に垂直な面積で比較したときに、吸収コア（４０、４２、４４）に向かって、１方向に減少していく面積であることを特徴とする、請求項１から５のいずれかに記載の使い捨て通気性吸収用品。
【請求項７】
前記毛管（５４）が、前記フィルム（５５）に向かって、曲がることを特徴とする、請求項１から６のいずれかに記載の使い捨て通気性吸収用品。
【発明の詳細な説明】
【０００１】
発明の技術分野
本発明は、乳児用おむつ、成人失禁用品、特に生理ナプキンやパンティライナーのような通気性吸収用品に関する。本発明によれば、この吸収用品には、通気性のために穿孔されたバックシートが設けられている。このバックシートの通気層の少なくとも１層が、弾性を有する３次元ウエブを構成しており、このウエブは孔を有する液体不透過正高分子フィルムから成る。さらにこれらの孔が、毛管を形成し、これらの毛管は、ウエブが圧縮圧（ｃｏｍｐｒｅｓｓｉｖｅ ｐｒｅｓｓｕｒｅ）を受けると、吸収用品からの液体の通り抜けに対するバリヤーが大きくなり、かつ、水蒸気の透過性が維持されるように、設計されている。
【０００２】
発明の背景
吸収用品の分野、特に生理ナプキン、月経用品、あるいはパンティライナーの分野において、発展の土台となる消費者の主要なニーズは、漏れ防止と快適さがいずれも高レベルである製品が提供されることにある。
【０００３】
吸収用品において、快適さという有益性を消費者にもたらすための１つの手段は、通気性製品を提供することである。通気性をもたせるためには普通、吸収用品にいわゆる「通気性バックシート」を組み込むことが多い。通常使用される通気性バックシートとしては、流体移動に方向性を持たせる細孔フィルムや穿孔フィルムがあり、このようなバックシートが、たとえばＵＳ４  ５９１  ５２３に開示されている。これらの通気性バックシートはどちらのタイプであっても、蒸気透過性を有し外気とガス交換できるようになっている。これによって、コア内にたまった流体が一部、蒸発可能となり、さらに吸収用品内の空気循環が高まる。空気循環が高まると、通常、穿孔された成形フィルムやトップシート状のフイルムの存在に関連して、多くの装着者が使用中に体験するべた付き感が減って、特に有益である。
【０００４】
通気性バックシートを吸収用品に使用する際の欠点は、ウエット・スルー（ｗｅｔ ｔｈｒｏｕｇｈ；濡れが通り抜けること）として知られる、使用者の衣料品への漏れが、漏れ防止レベル性能にマイナス影響を与えることである。通気性バックシートは、主に気相物質の移動だけを可能にするものであるが、押出、拡散、毛管作用といった物理的なメカニズムが発生して、流体であっても、吸収コアからバックシートを通ってさらに使用者の衣服まで達するという移動が、結果的に可能となってしまう。バックシートが、たとえば、身体運動中、あるいは液体が排出されて吸収製品が重くなったとき、または装着時間が長引いたときなどのように、押圧されたときは特に、これらのメカニズムが優勢になってくる。かくして、吸収製品中に通気性バックシートを組み込ませることは、快適性という見地から非常に望ましいことであるにもかかわらず、バックシートの基本的な役割はやはり液体の漏れ防止であるから、従来の通気性バックシートの吸収製品への組込は成功しているとは言い難い。
【０００５】
このような通気性バックシートを吸収用品へ組み込ませたことによって発生する、使用者の衣服へのウエット・スルー問題は、本技術分野において深く認識されつづけてきた。この問題を解決しようとする試みで主に行われたのは、ＵＳ４  ３１  ２１６に示されたように、多層バックシートを使うことである。同様のＥＰ出願７１０  ４７１が開示した通気性バックシートは、ガス透過性で疎水性の高分子繊維生地の外側層と、流体移動に方向性を持たせた穿孔された成形フィルムを構成する内側層とを備えている。バックシート構造体が、ある種の特定された試験条件のもとで、液体移動／ウエット・スルーがないようになっていると好ましい。ＥＰ出願７１０  ４７２の開示する通気性バックシートもまた、少なくとも２つの通気性層から成り、これらの層はコア域を挟んで互いに接触しないようになっている。このバックシート構造体が、ある種の特定された試験条件のもとで、液体移動／ウエット・スルーがないようになっていると好ましい。
【０００６】
ＵＳ４  ７１３  ０６８の開示する通気性布地状バリヤーは、吸収用品の外側カバーとして用いる。このバリヤーは、少なくとも２つの層を備え、第１層はそれぞれ特定の、坪量、繊維径および孔径を有し、第２層は特定厚さを有するポリ（ビニルアルコール）の連続フィルムを構成している。このバリヤーはまた、それぞれ特定の透湿速度および不透過性レベルを有している。
【０００７】
提案されたこれらの解決方法はしかし、あらゆる状態のもとで、特に通気性バックシートを含む（ｉｎｃｌ．）吸収用品が押圧されたときに、ウエット・スルー防止問題に対して、十分満足な解決をなしていない。
【０００８】
ＵＳ５  ５９１  ５１０そしてＷＯ９７／０３１１８およびＷＯ９７／０３７９５の開示した穿孔フィルム層は毛管を有し、これらの毛管はフィルム平面に対して角度を成して配置されており、これらのフィルムは、傾斜毛管フィルムと称される。このフィルム構造体は、通気性の衣料に組み込ませやすくするためのもので、しかもこの衣料の装着者のほうに液体が流れないようにするためのものである。このような傾斜毛管フィルムが、吸収用品に関連して、ただしトップシートとして、使用することが述べられている。特に、ＵＳ５  ５９１  ５１０の図１６では、そのような傾斜フィルムが吸収材料と組み合わせて開示されている。しかし、本発明による使い捨て吸収用品に関連した、記述はない。
【０００９】
さらに別の問題は、吸収用品が使用されて圧縮圧を受けたり、液体が排出されて吸収製品が重くなったときに、通気性の有効性が劇的に低下してしまうということである。たとえば液体が細孔フィルムに接触するとすぐに、その蒸気透過性は完全に（ｅｆｆｅｃｔｉｖｅｌｙ）なくなってしまう。また従来技術の穿孔された毛管フィルムについて考慮すると、これらのフィルムでも、圧力を受けると蒸気透過性がやはり劇的に低下する。ただし低レベルの蒸気透過性は維持される。
【００１０】
したがって本発明の目的は、吸収用品の通気性バックシートにおいて、圧力を受けたときの液体通過に対するバリヤーが向上し、しかもこのように圧力を受けたときであっても、従来より通気性として理解されてきた蒸気透過性が、従来の穿孔された毛管フィルムの蒸気透過性のときほど減少しない（ただしこの毛管フィルムは、水蒸気透過性材料からできていないものとする）設計になっている、吸収用品を提供することである。
【００１１】
本発明のもう１つの目的は、向上した通気性を有して維持し、しかも、特に吸収用品が圧力を受けたときに、漏れ防止の好ましいレベルを有して維持している、すなわち漏れに対する耐性が非常に高くなっている、使い捨て吸収用品を提供することである。
【００１２】
発明の概要
本発明は、乳児用おむつ、成人用失禁用品、および特に整理ナプキンやパンティライナーのような、層構造の通気性使い捨て吸収用品に関する。さらに、脇の下の汗とりパッド、胸あてパッド、シャツ・スカラー（ｓｈｉｒｔ ｓｃｈｏｌａｒ；ｃｏｌｌａｒ？）なども本発明の有益性が活かせる。このような用品は普通、層構造になっており、各層またはいくつかの層のグループは、吸収用品の使用中に衣服のほうに面して方向づけられる衣服がわ表面と、その反対側の装着者がわ表面とを有する。さらにこのような吸収用品は普通、この吸収用品の装着者がわ表面を形成する液体透過性トップシートと、吸収コアと、この吸収用品の衣服がわ表面を形成する通気性バックシートとを備える。この吸収コアは、トップシートとバックシートとの間に挟まれている。ただし本発明によれば、吸収コアがこの吸収用品の装着者がわ表面を提供してもよく、その場合は、コアのこの表面がトップシートとしての機能も果たすようになっている。
【００１３】
通気性バックシートは、吸収コアの衣服がわ表面上に配置され、少なくとも第１バックシート層を備える。通気性バックシートは、第２バックシート層のような追加の層をさらに備えていてもよい。第１バックシート層は、吸収コアの衣服がわ表面の間（下？）に位置づけられている。吸収用品に通気性をもたせるために、すべてのバックシート層が少なくとも水蒸気透過性で、好ましくは空気透過性でもある。第１バックシート層は、弾性を有する立体ウエブを備え、このウエブは、液体不透過性高分子フィルムから成り、このフィルムは孔を有する。そしてこれらの孔が形成する毛管は、フィルムの装着者がわ表面から遠ざかるように延びる側壁を有して、このことによりウエブに立体性を提供している。また毛管は、フィルムの衣服がわ表面に第１開口部と、フィルムの装着者がわ表面から遠いほうの毛管端部に第２開口部とを有する。毛管が、フィルムの装着者がわ表面から、このフィルム平面に対して９０°より小さい角度を成して、遠ざかるように延びていると好ましい。
【００１４】
ＥＰ９８１０１８６７およびＥＰ９８１０１８６８の優先権書類に基づく、同時係属特許出願においては、傾斜毛管フィルムバックシートと、任意に設けられたバックシート内の第２層と、フィルムトップシートとの間の組合せが、開示されている。これらの開示におけるバックシート構造体は、公知の立体成型フィルムの孔の設計や通気性バックシートに、現状を越えて前方へ進歩させるという大きなステップをもたらした。しかし、吸収用品の漏れ抵抗や空気透過性の維持を向上させる上で、さらなるステップが、本発明による設計によって達成されることがわかったのである。第１バックシート層の立体ウエブは、ウエブの毛管の第２開口部から第１開口部へ向かい、外部へ向かう方向に、液体水移動抵抗（ｗａｔｅｒ ｔｒａｎｓｐｏｒｔ ｒｅｓｉｓｔａｎｃｅ；ＷＴＲ）を有しており、これは、ＷＴＲの修正ＤＩＮ５３８８６試験によって測定される。そしてウエブはまた、ＷＴＲと同じ方向に水蒸気透過性（ｗａｔｅｒ ｖａｐｏｒ ｐｅｒｍｅａｂｉｌｉｔｙ；ＷＶＰ）を有しており、これはＷＶＰの修正ＡＳＴＭＥ９６−８０試験によって測定される。
【００１５】
驚くべきことに本発明によると、フィルムに対するＷＴＲすなわち液体水移動抵抗が、雰囲気圧（すなわち、圧縮無し）対、雰囲気圧に６８６５Ｐａの圧縮があったときで比較すると、率にして、５０％以上、好ましくは６５％以上、最も好ましくは７５％以上も増加したのである。同じ圧力差のもとで、水蒸気透過性は、増加した水移動抵抗が完全に（ｃｏｍｐｌｅｔｅｌｙまったく？）なくなっていないにもかかわらず、雰囲気圧（すなわち、圧縮無し）でのＷＶＰより減少したのは、８０％より少なく、好ましくは６０％より少なかったのである。
【００１６】
本発明によるウエブを高圧にさらしたときに、このウエブに対する液体透過に、このウエブが高い抵抗をもっているということ自体、驚くべきことであるが、これに、水蒸気移動を維持し好ましくは空気移動も維持する能力を、さらに組合わせたところが、当業者にとって、驚くべきことなのである。
【００１７】
本発明によれば、好ましくは、毛管が同一で、フィルムに均一に分布して、そのときの毛管どうしのスペースは、上記に限定したＷＶＰの減少が、確実に、８０％より少なく、好ましくは６０％より少なくさえするものである（繰り返しになるが、これは雰囲気圧と雰囲気圧に６８６５Ｐａの圧縮があったときとを比較したものである）。
【００１８】
各毛管の中心軸とフィルム平面との成す角度は、好ましくは、８５°から２５°、最も好ましくは５５°から３０°である。ここで中心軸とは、毛管の第１開口部の中心と毛管の第２開口部の中心点とをつなぐ線と、定義される。
【００１９】
いくつかの実施態様では、少なくともいくつかの毛管の第１開口部が、それぞれ対応する毛管の第２開口部より大きくなって、毛管自体が円すい形を形成し、このような毛管では、吸収コアに向かう方向での毛管作用が高まるようになる。本発明によるさらに別の実施態様では、毛管は、フィルム平面に向かって曲がる、もしくは曲げを示す。以上とは別に、あるいは以上に加えて、毛管が、方向、形態（ｆｏｒｍ）、形状（ｓｈａｐｅ）、サイズまたはこれらの組合わせにおいて、互いに異なる第１部分と第２部分とを有する態様もある。
【００２０】
発明の詳細な説明
本発明は、生理ナプキン、パンティーライナー、失禁用製品、汗取りパッド、胸あてパッド、乳児用おむつのような、使い捨て吸収用品に関する。このような吸収製品は普通、液体透過性のトップシートと、バックシートと、前記トップシートと前記バックシートとの中間の吸収コアとを、要素として備える。本発明によれば、トップシート、バックシート、コアは、以下に述べる、そして前記請求の範囲に述べた、望ましい快適感や漏れ防止性能についての要求性能をかなえるものであれば、これらの構成要素（ｃｏｍｐｏｎｅｎｔ）として公知のものからいずれでも選択できる。
【００２１】
一般的に、トップシートがもしあるならば、良好な液体保持ができて、ドライな表面を維持し、それによって、装着者の肌をドライに保つようになっているべきである。吸収コアは、十分な吸収容量を提供し、蒸気および／または空気が吸収コアを通過できるようになっている必要がある。そしてバックシートは、十分に通気性を有しながら、ウエット・スルー（ｗｅｔ ｔｈｒｏｕｇｈ）（液体透過性）を防いで、吸収された流体を保持すべきである。さらに、個々の要素を接合する。その際も、最適化された接合技法を使用して、最終製品が、望ましい快適感や性能レベルを有するようになっていると好ましい。
【００２２】
以下の本発明の記載のなかで、装着者の方向に面している表面を装着者がわ表面と称する。図面においては、この方向を矢印２０で表している。さらに、衣服の方向に面している表面を衣服がわ表面と称し、図面においては、この方向を矢印２１で表している。
【００２３】
吸収用品構成要素
トップシート
本発明によれば、吸収用品は通常、トップシートを備える。本明細書で適切に使用するトップシートは、本技術分野でトップシートとして公知のものいずれでもよい。図１では、トップシートは参照番号３０で示している。
【００２４】
本明細書で使用するトップシートは単層または多層を構成する。好適な実施態様においてトップシートは、トップシートの装着者がわ表面を提供する第１層と、この第１層と吸収構造体／コアとのあいだの第２層とを備える。それに加えて、もう一つの層が第１層の装着者がわ表面上にあって、ただし中心ゾーンまたは吸収用品の周縁ゾーンのいくつかの部分内に延びているだけであると、特別なソフト間あるいは特別な液体取扱い／保持能力を提供するので、望ましい場合もある（この設計を通常「ハイブリッドトップシート」と称する）。トップシートは多くの場合、吸収構造体全体にわたって延びている。そしてさらにトップシートは、吸収用品に設けられていると好ましいサイドフラップ、サイドラッピング要素、もしくはウイングのところまで延びて、それらを部分的にあるいは全面的に形成することができる。
【００２５】
トップシートは、全体として、ひいては各層も個々に、装着者の肌に順応し、ソフトな感触で、しかも刺激のないものでなければならない。トップシートはまた、弾性特性を有し、１方向または２方向に伸ばせるようになっている。したがって、本明細書で使われているように、トップシートは、「装着者側から流体を受入れてこれを吸収コアへ向かって移動させ、吸収コアに閉じこめる」という本質的機能を有するのであれば、層または層の組み合わせとして、いずれのことを称してもよい。加えて、本発明のトップシートは、高度な蒸気透過性を有するべきであり、それにくわえて空気透過性を有すると好ましい。
【００２６】
本発明によれば、トップシートは、たとえば、織布、不織布、フィルム、またはこれらの組合わせといった、この本質的機能に対して適用可能で本技術分野でこの材料として公知のものいずれからでも形成できる。本発明の好適な実施態様では、トップシートの層の少なくとも１つが液体透過性の穿孔された高分子フィルムを構成する。装着者がわ表面のうち装着者と接触する表面が、装着者がわから吸収構造体へ液体移動しやすくするために設けられた孔を有するフィルム材料によって提供されたものであると特に好ましい。詳細はたとえば、ＵＳ３  ９２９  １３５、ＵＳ４  １５１  ２４０、ＵＳ４  ３１９  ８６８、ＵＳ４  ３２４  ４２６、ＵＳ４  ３４３  ３１４、およびＵＳ４  ５９１  ５２３に示されている。ただし、この装着者と接触する表面ばかりでなく、不織布支持層または織布支持層のほうであっても、穿孔して液体受入れ機能を向上させることができる。
【００２７】
吸収コア
本発明によれば、本明細書において使用に適する吸収コアは、本技術分野で吸収コアや吸収コアシステムとして公知のものからいずれでも選択できる。本明細書で用いられる吸収コアという用語は、「流体を吸収、保存、分布させる」という主要機能を有するものであれば、材料や複数種の材料の層のなかからいずれを称してもよい。図１において、吸収構造体は、３つの層、４０、４２および４４を備えて示されている。
【００２８】
本発明の吸収コアは、高度の蒸気透過性を有するべきであり、さらに高度の空気透過性も有していると好ましい。本発明による吸収コアの厚さは、１２ｍｍより小さく、好ましくは８ｍｍより小さく、さらに好ましくは５ｍｍより小さく、最も好ましくは４ｍｍから２ｍｍである。
【００２９】
本発明によれば、吸収コアは以下の構成要素を備えることができる：（ａ）任意ではあるが設けられていれば好適な副流体分布層が付いた、やはり任意で設けられている主要流体分布層；（ｂ）流体保存層；（ｃ）保存層の下に任意で設けられている繊維（「散布（ｄｕｓｔｉｎｇ）」）層；および（ｄ）これら以外に任意で設けられている構成要素である。
【００３０】
（ａ）主要／副流体分布層
本発明による吸収コアにおいて、任意で設けられている構成要素は、図１においては、層４０として示されている、主要流体分布層と副流体分布層である。主要分布層は普通、トップシートの下にあって、このトップシートと流体が連通している。トップシートは、取入れた流体をこの主要分布層へ移動させて、最終的に保存層に分布させる。主要分布層を通るこの流体移動は、吸収製品の厚さ方向のみならず、長さ方向および幅方向に沿っても生じる。さらに、これも任意に設けられるものではあるが、設けられていると好適な副分布層は普通、主要分布層の下にあってこの層と流体が連通している。この副分布層の目的は、主要分布層から流体を容易に取入れて、その流体を迅速に下の保存層に移動させることである。これによって、下の保存層の流体容量が、完ぺきに活用できるようになる。この流体分布層は、そのような分布層の材料として典型的なものいずれからでも構成できる。
【００３１】
（ｂ）流体保存層
流体保存層（４２）は、主要分布層または副分布層と流体が連通するように位置して、普通は主要分布層または副分布層の下にある。そして流体保存層は、通常のどのような吸収材料や吸収材料の組合わせでも構成できる。流体保存層が、適切な担体（ｃａｒｒｉｅｒ）と組み合わせて、「ヒドロゲル」「高吸収剤」「親水コロイド」材料と一般的に称される、吸収ゲル化材料を含むと好ましい。この吸収ゲル化材料は、図１においては粒体（４３）として示されている。
【００３２】
吸収ゲル化材料は、多量の水性流体（ａｑｕｅｏｕｓ ｂｏｄｙ ｆｌｕｉｄ）を吸収でき、さらにこうして吸収された流体を中圧下で保持できる。吸収ゲル化材料は、適切な担体内で均一に、または不均一に、分散する。また、担体がそのままで吸収材であれば、流体保存層を、適切な担体だけで構成することもできる。
【００３３】
本明細書において使用される適切な吸収ゲル化材料は大抵、実質的に水不溶性で、わずかに架橋し、部分的に中和した、高分子ゲル化材料を含んでいる。この材料は水と接触してヒドロゲルを形成する。そのような高分子材料は、本技術分野ではよく知られた、重合可能な不飽和の酸を含むモノマーから製造される。
【００３４】
そして適切な担体は、毛羽および／またはティッシュ形態の、天然繊維、変性繊維（ｍｏｄｉｆｉｅｄ ｆｉｂｅｒ）もしくは合成繊維、特に変性セルロース繊維または変性されていないセルロース繊維といった、吸収構造体として従来から利用されている材料を含んでいる。適切な担体は吸収ゲル化材料と合わせて使用できるが、担体を単独で、あるいは組み合わせても使用できる。生理ナプキンおよびパンティーライナーの場合は、ティッシュやティッシュラミネートが最適である。
【００３５】
本発明によって製造された吸収構造体の実施態様では、ティッシュを２つに折り重ねて形成される２層のティッシュラミネートを構成している。これらの２層は、たとえば接着剤によって、高分子粉末結合剤（例、ＰＥ粉末、ポリエチレン粉末）を溶融させることによって、機械的にからみ合わせることによって、あるいは水素結合の結束（ｈｙｄｒｏｇｅｎ ｂｒｉｄｇｅ ｂａｎｄｓ）によって互いに接合できる。吸収ゲル化材料や他の任意に用いられる材料を、層と層との間に含んでいてもよい。
【００３６】
硬化されたセルロース繊維のような、変性セルロース繊維を用いてもよい。さらに合成繊維も使用でき、これには、アセチルセルロース、ポリフッ化ビニル、ポリ塩化ビニリデン、ポリアクリレート（例；オーロン）、ポリ酢酸ビニル、不溶性ポリビニルアルコール、ポリエチレン、ポリプロピレン、ポリアミド（例；ナイロン）、ポリエステル、２成分複合繊維、３成分複合繊維、これらの混合物などが含まれる。繊維の表面が親水性、あるいは親水性となるように処理されると好ましい。流体保存層は、真珠岩、珪藻土、ひる石、その他を含んで、液体保持率を向上させることもできる。
【００３７】
吸収ゲル化材料が担体内で不均一に分散している場合でも、保存層には、材料が均一となる部分があり、つまり保存層の大きさの範囲内で、１方向もしくはいくつかの方向に、分布の差（ｇｒａｄｉｅｎｔ）ができる。吸収ゲル化材料の不均一分布は、吸収ゲル化材料を部分的にもしくは完全に包囲する担体のラミネートでもあてはまる（ｒｅｆｅｒ ｔｏ）。
【００３８】
別の液体保存として、発泡体のような構造体または実際の発泡体構造体がある。この中には、液体を吸収する連続気泡発泡体があり、通り抜けの化学（ｔｈｒｏｕｇｈ ｃｈｅｍｉｃａｌ）や表面の相互作用が、液体をやはり圧力下に保つ。このような発泡体は皮膚で形成するので、発泡体の装着者がわ表面はなめらかな外観となり、トップシートの選択として役立っている。これに関する典型的な発泡体が、たとえばＰＣＴ公報のＷＯ９３／０３６９９、ＷＯ９３／０４０９２、ＷＯ９３／０４１１３に開示されている。
【００３９】
（ｃ）任意に設けられる繊維（「散布（ｄｕｓｔｉｎｇ）」）層
本発明による吸収コアに任意に含まれる構成要素は、保存層に隣接し、多くは保存層の下側に隣接する繊維層で、図１において、参照番号４４で示されている。ある。吸収コア製造中に、この繊維層は、保存層内の吸収ゲル化材料を上に載せる（ｄｅｐｏｓｉｔ）支持体となっているので、「散布」層と呼ばれることが多い。実際のところ、吸収ゲル化材料が繊維、シート、またはストリップといったマクロ構造を成しているこれまでの実施態様においては、この繊維（「散布」）層は必ずしも含まれていなくともよい。ただし「散布」層は、たとえばパッドの長さ方向に沿って流体を迅速に吸上げるといった、流体取扱い上の有能さも加えて持っている。
【００４０】
（ｄ）吸収構造体の任意に設けれられているその他の構成要素
本発明による吸収コアは、通常、吸収ウエブに存在する、その他の構成要素を任意に含むことができる。たとえば補強スクリムは、吸収コアのそれぞれの層内やそれぞれの層どうしの間に位置する。このような強化スクリムは、流体移動に対する層間（ｉｎｔｅｒｆａｃｉａｌ）バリヤーを形成することがないような構造にすべきである。熱ボンド（ｔｈｅｒｍａｌ ｂｏｎｄｉｎｇ）は通常、構造上の結合性（ｉｎｔｅｇｒｉｔｙ）を生じるので、熱ボンドされた吸収構造体には普通、補強スクリムは必要ない。
【００４１】
本発明による吸収コアが含むことのできるもう１つの構成要素は、ゼオライト、カーボンブラック、シリケート、あるいは他のキレートのような臭気制御因子であり、これらは、主要流体分布層または副流体分布層あるいは流体保存層に接近してまたはそれぞれの一部として提供されていると好ましい。さらにこのような制御因子は、粒状形態あるいは粒子の一部として提供されていると好ましい。前記の吸収ゲル化材料と共に提供されてもよい。
【００４２】
バックシート
本発明による吸収用品は、通気性バックシートも備えている。バックシートは主に、吸収構造体に吸収されて含まれる排出物（ｅｘｔｒｕｄｅｓ）が、吸収製品と接触する用品、たとえばアンダーパンツ、パンツ、パジャマ、下着およびシャツやジャケットなどを、濡らさないようにするもので、流体移動に対するバリヤーとして作用している。いっぽうで、それに加えて、本発明の通気性バックシートによって、水蒸気および空気が共にこのバックシートを通って移動できるようになっており、したがって、吸収用品に空気が入りそこから水蒸気が出るとい循環が可能になっている。バックシートは普通、吸収構造体の全体にわたって延びており、さらに、生理用品の適用においてはしばしば見かける、サイドフラップ、サイドラッピング要素、またはウイングのところまで延びて、それらを部分的にあるいは全面的に形成するようになっていてもよい。
【００４３】
本発明によれば、２層または多層の通気性バックシート複合体が、吸収用品で使用されている。本発明によれば、本明細書において使用する通気性バックシートは、少なくとも、孔付きの空気透過性第１層を備える。本明細書において使用される好適な通気性多層バックシートは、高度の蒸気および空気交換の両方を行う。
【００４４】
本発明にとって特徴的な第１層は、図において層（５０）として示されている。第１層は、吸収コアの衣服がわ表面と、図１において層（５２）として示されている任意に設けられた第２層の装着者がわ表面とのあいだに位置する。この第１層は、吸収コアから外側への液体の通過を妨げるもしくは防ぐように適応されている（ｏｒｉｅｎｔｅｄ）いっぽうで、自由な空気の流れや水蒸気が第１層を通ることは可能となっている。
【００４５】
本発明によれば、任意に設けられている第２層もまた、少なくとも水蒸気透過性を提供し、吸収用品の通気性を維持していなければならない。水蒸気透過性に加えて空気透過性も維持して、この空気透過性が、吸収用品の通気性がもたらす快適感という有益性をさらに向上させていると、望ましい。これに関して、水蒸気と空気を透過する層として適切なものには、微視的または肉眼的に平面的に穿孔されたフィルム、微視的または肉眼的に発泡されたフィルム、成形された穿孔フィルムおよびモノリシックフィルム、そして不織布や維布などが含まれる。
【００４６】
バックシートの平面的に平らな層として適切なものは、本技術分野で公知の材料いずれからでも作ることができる。ただし、一般的に入手可能な高分子材料から製造されていると好ましい。たとえば、本技術分野でいわゆる通気性衣料としての適用がよく知られたＧｏｒｅｔｅｘ（登録商標）やＳｙｍｐａｔｅｘ（登録商標）タイプの材料などが、適切である。他に適切な材料としては、米国ミネソタ州Ｓｔ． ＰａｕｌのＭｉｎｎｅｓｏｔａ Ｍｉｎｉｎｇ ａｎｄ Ｍａｎｕｆａｃｔｕｒｉｎｇ ＣｏｍｐａｎｙのＸＭＰ−１００１やＥｘｘｏｎ Ｃｈｅｍｉｃａｌ Ｃｏｍｐａｎｙから供給されるＥｘｘａｉｒｅ ＸＢＦ−１０１Ｗなどが含まれる。本明細書で使用する平面的に平らな層という用語は、深さが１ｍｍより小さく、好ましくは０．５ｍｍより小さく、孔が層の平面から外に突き出ていないものを称する（いわゆる成形フィルムと異なる）。本発明でバックシートとして用いる穿孔材料は、たとえばＥＰＯ２９３  ４８２およびその中の引例に開示されているような、本技術分野で公知の方法のいずれで製造してもよい。また、この方法で製造された孔の大きさは、バックシート層の平面に力をかける（つまり層を引き伸ばす）ことによって、増加する。
【００４７】
適切な穿孔された成形フィルムに含まれるものとして、とびとびに設けられた孔が、層の衣服（装着者？）がわ表面の平面を越えてコアに向かって延びて突起を形成するフィルムがある。この突起は、その末端に開口部を有する。前記突起が、ＵＳ３  ９２９  １３５に開示されたものと類似の漏斗形状であると好ましい。突起の末端の開口部も、突起が層の衣服がわ表面内に作る断面も、それら自体の形は、円形でも円形でなくともよい。ただし、突起の末端の開口部の断面の大きさもしくは面積が、突起が層の衣服がわ表面内に作る断面の大きさもしくは面積より、小さくなっていなければならない。前記の穿孔された（予備）成形フィルムが、方向性を有する液体移動ができ、液体損失分（漏れ）がバックシートを通り抜けないような位置づけになっていると好ましい。本明細書で用いる適切な肉眼的に発泡されたフィルムには、たとえばＵＳ４  ６３７  ８１９やＵＳ４  ５９１  ５２３で述べたフィルムなどが含まれる。
【００４８】
適切なモノリシックフィルムとしては、米国のＤｕＰｏｎｔ Ｃｏｒｐｏｒａｔｉｏｎから入手できるＨｙｔｒｅｌ（登録商標）や、スイスのＤｕＰｏｎｔ ｄｅ Ｎｅｍｏｕｒｓ Ｉｎｔｅｒｎａｔｉｏｎａｌ Ｓ．Ａ．のＪ−Ｃ．ＣａｒｄｉｎａｌとＹ．ＴｒｏｕｉｌｈｅｔによるＩｎｄｅｘ９３Ｃｏｎｇｒｅｓｓ， Ｓｅｓｓｉｏｎ７Ａ「Ａｄｄｉｎｇ ｖａｌｕｅ ｔｏ Ｎｏｎｗｏｖｅｎｓ（不織布への付加価値）」のなかで述べられた別の材料などがある。繊維結合（ｓｐｕｎｂｏｎｄｅｄ）、溶融吹込み、またはカード（ｃａｒｄｅｄ）不織布で、熱ボンドされて（ｔｈｅｒｍｏｂｏｎｄｅｄ）空気を含み（ａｉｒｌａｙｅｄ）、乾式でも、たとえ湿式でもよく、そして結合剤は用いても、用いなくてもよいもの、あるいは、このような不織布を合わせて層にした複合体を、使用できる。特に好適な不織布は、たとえばＷｈｉｔｅｈｅａｄによるＵＳ４  ５７８  ０６９に開示された、細い溶融吹込み繊維不織布と太い結合繊維不織布との複合体のような、多層不織布で、細い溶融吹込み繊維不織布のほうがこの層の装着者がわ表面を形成するようになっているものである。
【００４９】
本発明によるバックシートの第１層は、吸収コアと直接、接触していると好ましい。また第１層を穿孔して、空気と水蒸気の透過性を提供することもできる。この層が、前述のＵＳ  ５  ５９１  ５１０やＰＣＴ  ＷＯ９７／０３１１８、ＷＯ９７／０３７９５にしたがって作られたものであると好ましい。第１層は特定的には、図１で、孔（５４）を有する第１層（５０）として示されている高分子フィルムを構成している。これらの毛管は、フィルム（５０）の装着者がわ表面から、９０°より小さい角度を成して遠ざかるように延びている。図２から４に、このような毛管の別の実施態様を示す。これらの毛管が、第１層の表面全体にわたって一様に分布され、すべてが同一であると好ましい。ただし第１層の表面のなかで、ある領域だけに孔が設けられていてもよい。たとえば第１層の表面中、吸収コア中心の液体装填（ｌｏａｄｉｎｇ）ゾーンと一列につながる（ａｌｉｇｎｅｄ ｗｉｔｈ）領域の外側域だけに、本発明による毛管を設けてもよい。
【００５０】
毛管孔を有する立体高分子フィルムを製造する方法は、先にあげた、穿孔フィルムトップシートの引例、穿孔された成形フィルムの引例、および微視的／肉眼的に発泡したフィルムの引例の中で示された方法と同一であるか、あるいは類似している。典型的な方法を以下に述べる。先ず、ポリエチレン（ＬＤＰＥ、ＬＬＤＰＥ、ＭＤＰＥ、ＨＤＰＥまたはこれらのラミネート）のような高分子フィルム、あるいは、ポリプロピレン（または、任意に設けられている第２層に開示したような、水蒸気透過性フィルムであってもよい）を、融点近くまで加熱し、成形スクリーン（ｆｏｒｍｉｎｇ ｓｃｒｅｅｎ）を通して、吸引力にさらす。この吸引力によって、この力にさらされたフィルムの域を、フィルムを必要な形状に成形できるように形作られた成形孔に、引き込む。さらにこの吸引力が十分に大きくなると、フィルムは成形孔の端部で破れ、これによってフィルムを貫通した孔が形成される。
【００５１】
毛管は、様々な形態、形状、サイズ、構造を有することができ、そして、これらについては本技術分野で十分、議論されてきた。孔（５３）が形成する毛管（５４）には、側壁（５６）がある。毛管は、フィルム（５５）の装着者がわ表面から遠ざかる方向に延びている。そのときの孔は、毛管の開口部から毛管の端部まで、毛管を圧縮して潰したときにその状態で液体移動が無くなるまで完全に潰せるだけの長さは少なくともある。
【００５２】
毛管は、フィルム（５５）の衣服がわ表面の平面上に第１開口部（５７）と、上記の高分子フィルムを製造する方法のなかで述べた吸引力（例、真空ｖａｃｕｕｍ）によって孔を作ったときにできた開口部である第２開口部（５８）とを有する。当然、第２開口部（５８）の縁は凹凸があって一様でなく、図３および４に示したように、第２開口部（５８）の縁からルース（ｌｏｏｓｅ；粗い切り口のぎざぎざ部分）要素が延びていることもある。ただし、毛管（５４）の第２開口部（５８）の端のところにルース要素があるとそれらのあいだで、移動する液体が吸収用品の吸収コア（４４）へ巻き込みを起こすが、第２開口部が可能な限り滑らかになっていると、ルース要素がないということで、このような巻き込みがなく好ましい。（穿孔フィルム製のトップシートの場合は、ルース要素が吸盤の脚部的な機能を提供して、移動する液体が吸収用品の吸収コアへの巻き込みを起こすことが逆に好ましい。）
本発明による好適なひとつの実施態様において、図１に示したように、毛管は、互いに「かぶさりながら」延びているが、かぶさるか否かは毛管の傾斜角度や長さに依存する。つまり、ある毛管の第２開口部（後述）が、隣接する毛管の第１開口部の最も近いところの真上まで届くか否かで決る。
【００５３】
図４に、第１開口部の中心（１５７）と第２開口部の中心（１５８）とを示す。円形でない開口部の場合の中心点は、対応する開口面積の中心点とする。第１開口部（５７）の中心（１５７）と第２開口部（５８）の中心（１５８）とをつなぐと、中心軸（６０）ができる。この中心軸（６０）がフィルム平面と角度（５９）を成す。このフィルム平面は、フィルム（５５）の衣服がわ表面と同じ平面である。そしてこの角度（５９）は、好ましくは８５°から２０°、より好ましくは６５°から２５°、そして最も好ましくは５５°から３０°を成すようになっている。
【００５４】
毛管を漏斗形状にして、中心軸（６０）に垂直な平面上の開口部のサイズを比較したとき、第２開口部（５８）が第１開口部（５７）より（実質的に）小さくなるようにすることも、当然可能である。このような実施例を図２および３に示す。図２にさらに示すように、毛管の壁（５６）が終端となっている第２開口部（５８）の断面について、それが中心軸（６０）に対して垂直にならずに斜めになっている。つまり、毛管の壁のうち、フィルム（５５）の装着者がわ表面に近いほうの壁が、第２開口部より長く延びている。このようにすると、毛管を移動していた液体が、フィルム（５５）の装着者がわの吸収コアからフィルムの衣服がわに流れて（漏れを引き起こす）おそれを少なくするための、助けとなる。
【００５５】
さほど理論的に考えなくとも確信できることとして、通気性バックシートの第１層の本発明による毛管によって、空気と水蒸気の透過性が生じたのであるが、毛管がある角度を成して傾斜していることや、上述した形状を有していることによって、この透過性は妨げられなかった。そればかりか、本発明による毛管の長さ、傾き、形状によって、毛管に装着者がわから圧力がかかったときに、毛管は（潰れて）完ぺきに閉じるようになっており、その結果、この圧力が増加しても、毛管を通っていた液体が吸収用品の外側まで移動することは起こりえない。そのうえ、この状態になっても、（空気と）水蒸気の透過性は、未だに残っているのである。したがって、これらの立体的に形成されたフィルム層が、通気性吸収用品に関して、そしてとりわけ第２外側層をさらに加えて設けている通気性吸収用品に関しては、極めて好適なものとなっている。
【００５６】
本発明によって、そして前記請求範囲で述べたように、雰囲気圧と雰囲気圧に６８６５Ｐａの圧縮があったときとを比較すると、傾斜した毛管を有するフィルムバックシート内の第１層によって、液体水移動抵抗は確実に増加する。この増加は、修正ＤＩＮ５３８８６試験で測定できる。同時に水蒸気透過性も、雰囲気圧と雰囲気圧に６８６５Ｐａの圧縮があったときとで、測定できる。その結果、本発明によって、そして前記請求範囲で述べたように、この水蒸気透過性の減少は、８０％より少ない、好ましくは６０％より少ないのである。したがって、本発明による、空気と水蒸気透過性バックシートを用いた吸収用品は、ストレス状態のもとで、すなわち増加した圧縮を受けることになったときに、液体が通り抜けて（ｓｔｒｉｋｅ ｔｈｒｏｕｇｈ）しまうという問題を減らすという有益性をもちながら、なおかつ、このようなストレス状態のもとでの通気性という有益性のほうも維持しているということである。
【００５７】
以下に、液体水移動抵抗試験と水蒸気透過性試験とを、本発明での適用に従い、いろいろ変形させながら、詳細に述べた。
【００５８】
液体水移動抵抗試験
液体水移動抵抗（以下、ＷＴＲ）試験を用いて、本発明による通気性バックシート材料のバリヤー特性を量示する。試験方法は、特に記載のない限り、ＤＩＮ５３８８６を使っている。
【００５９】
ＷＴＲ試験方法の基本原理
この試験方法の基本原理は、穿孔された材料の蒸留水に対する移動抵抗を評価することにある。穿孔された層の開口は、空気透過は可能であるが大量液体の通過はできないという程度である。この試験が、確実に、いろいろな吸収用品が実際に使用されるときの状況を、十分に表すように、蒸留水を見本流体として用いる。
【００６０】
ＷＴＲ試験方法の実行
穿孔されたフィルムの移動抵抗を決定するために、Ｔｅｘｔｅｓｔ ＦＸ３０００（スイスのＴｅｘｔｅｓｔ ＡＧ製）耐水試験機のような標準的な耐水試験機を、水圧を連続的に増加させるためのモーター付きで、用いる。サンプルの下から水圧をかけるので、サンプルの装着者がわが、水に向かって下向きとなる。
【００６１】
この試験で、水圧は、サンプルを通過する瞬間に測定する。ランダムに起きる使用ミスを除外するため、最初の一滴が第１の場所を透過したとき、そして水が第３の場所を透過したときに、それぞれ圧をとる。両方の圧力値を平均して１個の測定値を得る。
【００６２】
本発明による試験の変更型として、圧縮しない穿孔フィルムサンプルと、圧縮した穿孔フィルムサンプルとを、それぞれ試験する。圧縮圧をかけるために、孔が上下で合致してさらに相互に平行に固定された２枚のプレート間に、サンプルを置く。
【００６３】
プレートの孔のサイズは、液体のバリヤーとならない程度の大きさは必要であるが、穿孔フィルムに対して一定の圧縮を与える程度には小さくなければならない。このためには、たとえば、試験サンプルの孔の最小径のおよそ５０％の径を有する孔を用いる。
【００６４】
図５および６において、サンプルプレート（６０）の平面図および断面図をそれぞれ示す。プレート（６０）内の開口総面積は、孔（６１）の面積の総計となる。そしてこの開口総面積は、可能な限り大きくすべきであるが、プレートの総面積の６０％を越えてはならない。
【００６５】
サンプルを２枚のプレート間に置き、プレート上にウエイトを置いて、被圧縮サンプルを得る。このとき、ウエイトの重力を孔部分も含めたプレートのサイズで割って、６８６５Ｐａの圧縮圧がかかっているようにする。これによって、プレートどうしが相互にその間に、この試験の圧縮条件に応じた圧縮を受けることになる。次いで、ウエイトをどかしてもいいように、２枚のプレートを機械的に維持する。つまり、相互に平行に固定して（すなわち、圧縮を維持できる離間で固定して）から、ウエイトをどかす。
【００６６】
試験結果を比較するために、圧縮しないときの水移動抵抗を測定する。このとき、環状（ｃｉｒｃｕｍｆｅｒｅｎｔｉａｌ）離間部材を２枚のプレート間において測定する。この離間部材の厚さは、穿孔フィルムの圧縮されていないときの厚さ以上でなければならない。
【００６７】
試験結果の考察
圧縮されたサンプル、圧縮されていないサンプル両方とも、試験結果として、サンプルに水が透過したときの瞬間の水圧をとっている。この水圧は、水移動抵抗の測定値に線形比例（ｌｉｎｅａｒ ｐｒｏｐｏｒｔｉｏｎａｌ）しており、すなわち水圧測定値が高くなればなるほど、そのサンプルの水移動抵抗も大きくなるということである。本発明による水移動抵抗によって引き起こされた水圧増加と比較するために、このような試験方法を用いて、圧縮されたサンプルと圧縮されていないサンプルとの間で、透過の瞬間の水圧を直接、比較する。
【００６８】
本発明によれば、液体が試験材料を透過したときの圧力に関して、圧縮したときの試験では、圧縮していないときの試験に比べて、５０％以上増加するはずである。また、圧縮が無いのに既に液体透過がゼロのサンプルに対して、「これらのサンプルが、試験材料の液体透過がゼロという、この優れたそして最も望ましい結果を維持しているかどうか。」を調べるために、加圧試験は尚、必要である。ただしこれらの材料は、液体移動抵抗の向上達成は不可能なので、明らかに、本発明にしたがって考慮されるものではない。
【００６９】
通気性穿孔フィルムの水蒸気透過性試験
水蒸気透過性試験を用いて、圧力下での穿孔フィルムの蒸気透過性の低下を量示する。
【００７０】
水蒸気透過性試験方法の基本原理
この試験の基本原理は、吸収用品の水蒸気移動の程度を量示することである。用いる試験方法は、標準的なもので、すなわちＡＳＴＭＥ９６−８０、Ｐｒｏｃｅｄｕｒｅ Ｂ、２３℃でのＷａｔｅｒ Ｍｅｔｈｏｄである。試験は、気温２３℃、相対湿度（ＲＨ；ｒｅｌａｔｉｖｅ ｈｕｍｉｄｉｔｙ）５０％で２４時間維持される、気温／湿度の安定した実験室内で行なう。
【００７１】
蒸気透過性の値は、損失重量をサンプルホルダーの面積で割ってさらに１日分に見積もった（ｑｕｏｔｅｄ ｐｅｒ ｄａｙ）ものとして、決定される。
【００７２】
すなわち、蒸気透過性＝損失重量（ｇ）／開口面積（ｍ２）／２４（ｈｒｓ）
水蒸気透過性修正試験
この修正試験は、対応する試験台も含めて、基本的水蒸気透過性試験と同じ手順を用いる。ただし、試験材料の、吸収コアと面するように指定されているがわの面を上にして位置づける。このようにするために、標準吸収構造体を、吸収用品の吸収コアと面するようになるフィルムのがわに、置くという点で、基本試験を修正しなければならなかったのである。この標準吸収構造体は、試験材料の「内側」となるほうで、液体水の完ぺきな適用を確実にするのに十分な量の水を装填しておく。したがってＡＳＴＭ試験のカップについても、これ以上水を満たす必要は無い。
【００７３】
標準吸収構造体は、２０ｃｍ×６．５ｃｍで６３ｇ／ｍ２坪量の空気を含んだ４層のティッシュ（折りたたんで４枚重ねとなっている）から、複合されている（供給者コードＭｅｔｍａｒ（Ｐ５０Ｗ．ＩＰＥＤ）としての米国Ｗａｌｋｉｓｏｆｔから入手可能）。同じ大きさの試験材料を、この構造体の底面に置く。その際、接着剤を使って追加的に付けるようなことはしない。次いで、７０ｇ／ｃｍ２の圧縮荷重（６８６５Ｐａに相当）をこの構造体に置く。これは、ＷＴＲ試験で用いた穿孔プレートまたは類似のものを用いてよい。穿孔プレートを使用したことによって、水蒸気透過に利用できる表面が減少しているのであるから、その点に関して、開口面積を再考慮してから、比較を行う。このようなことをしなくとも、そのまま比較できるように、圧縮圧をかけたときの試験にも、圧縮圧をかけていないときの試験にも、このプレートを使えばよい。
【００７４】
本発明によると、水移動抵抗試験で十分に認められた試験材料がさらに、本発明の範囲に含まれるためには、水蒸気透過性についてその８０（２０？）％以上を維持していなければならない。
【００７５】
空気透過性試験
空気透過性試験を用いて、循環／交換空気に対する吸収構造体の能力を査定する。
【００７６】
空気透過性試験方法の基本原理
この試験の基本原理は、空気透過に対する吸収用品の抵抗を評価することにある。この試験では、標準条件（２３℃／相対湿度５０％）のもとで、任意の大きさの吸収用品を通って流れる空気の容量（もしくは量）を測定する。この試験に用いる器具は：スイスのＴｅｘＴｅｓｔ ＡＧ製のＡｉｒ Ｐｅｒｍｅａｂｉｌｉｍｅｔｅｒ ＦＸ３３００である。
【００７７】
サンプルは、測定の開始前に少なくとも４時間、試験環境で平衡状態にしておく。吸収用品（測定ヘッドが５ｃｍ２を越える大きさ）を前記の器具に置く。そして、サンプル層もしくはサンプル構造体を通して空気を吸引する１２１０Ｐａの圧損での、空気の流れの容量を測定する。そしてこの器具によって、空気の流れの容量、およびサンプルを含有するオリフィスと測定ヘッドを通過したときの圧損を測定する。最終的にこの器具は、リットル／ｍ２／ｓの単位で空気透過性値を出す。
【００７８】
本発明による好適な吸収用品において、圧縮圧なしの乾式条件における空気透過性は、この試験によると、１０００ｌｉｔｅｒ／ｍ２／ｓより低い。
【００７９】
吸収用品構造
本発明によると、この吸収用品は、生理ナプキン、パンティーライナー、失禁用品、汗とりパッド、胸あてパッド、およびおむつに関して、有益に使用される。ただし生理ナプキンは特に、本発明になじみやすい。したがって本発明の吸収用品で、生理ナプキンばかりでなく前記の種々の製品を使おうと意図する場合に対して、これら製品の典型的な特徴や構成部品のすべてを、この使い捨て吸収用品がさらに有することも可能となる。
【図面の簡単な説明】
【図１】
本発明による、第２層付きの通気性バックシートの好適な実施態様を含む、吸収用品のすべての通常の要素を備える吸収用品の断面図を示す。
【図２】
本発明による、通気性バックシートでその立体ウエブに用いる傾斜毛管の特に好適な実施態様を示す。
【図３】
本発明による、通気性バックシートでその立体ウエブに用いる傾斜毛管の別の特に好適な実施態様を示す。
【図４】
本発明による、通気性バックシートでその立体ウエブに用いる傾斜毛管のさらに別の特に好適な実施態様を示す。
【図５】
修正移動抵抗試験に用いる圧縮プレートの平面図。
【図６】
修正移動抵抗試験に用いる圧縮プレートの断面図。
【符号の説明】
２０  装着者に面している方向
２１  衣服に面している方向
３０  トップシート
４０、４２、４４  吸収コア
５０  第１バックシート層
５３  孔
５４  毛管
５５  高分子フィルム
５６  側壁
５７  第１開口部
５８  第２開口部
【国際公開パンフレット】
2004538019.tif 000002
2004538019.tif 000003
2004538019.tif 000004
2004538019.tif 000005
2004538019.tif 000006
2004538019.tif 000007
2004538019.tif 000008
2004538019.tif 000009
2004538019.tif 000010
2004538019.tif 000011
2004538019.tif 000012
2004538019.tif 000013
2004538019.tif 000014
2004538019.tif 000015
2004538019.tif 000016
2004538019.tif 000017
2004538019.tif 000018
2004538019.tif 000019
2004538019.tif 000020
2004538019.tif 000021
2004538019.tif 000022
2004538019.tif 000023
2004538019.tif 000024
2004538019.tif 000025
2004538019.tif 000026
2004538019.tif 000027
2004538019.tif 000028
【国際公開パンフレット（コレクトバージョン）】
2004538019.tif 000029
【国際調査報告】
2004538019.tif 000030
2004538019.tif 000031
2004538019.tif 000032
2004538019.tif 000033